(57)【特許請求の範囲】
【請求項１】
蓋で筒状部材の開口部を塞ぐマンホールにおいて、
上記蓋で開口部を塞ぐ筒状部材の内周面に、上記蓋と上記筒状部材を固定する固定部材の入る溝があり、
上記蓋は、上記固定部材を複数有し、
上記蓋は、上記固定部材を移動させる回転機構を有し、
上記回転機構は、上記蓋の外周から外側の異なる方向に上記固定部材を出す動きをさせ、
上記回転機構は、カムの回転によって上記固定部材を移動させるものであり、
上記カムが上記固定部材を移動させた後から移動させる前に戻すためのバネを有することを特徴とするマンホール。
【発明の詳細な説明】
【技術分野】
【０００１】
本発明は、噴出し防止マンホールに関する。
【背景技術】
【０００２】
洪水などがあったときに、マンホールの蓋が外れたりしないようにする技術が開発されている（特許文献1参照）。マンホールの蓋を施錠するような技術が開発されている（特許文献2参照）。
【先行技術文献】
【特許文献】
【０００３】
【特許文献１】特開２０００−３３６６８５号公報
【特許文献２】特開平９−７８６２０号公報
【発明の概要】
【発明が解決しようとする課題】
【０００４】
特許文献１の技術の問題点は、マンホールの蓋を一部分だけで施錠しているので、下からの力が加わったときに、簡単に外れてしまい壊れる危険性があることである。また、特許文献２の技術の問題点は、施錠部分の構造が複雑で、中が見えないので修理・点検が困難な点があり、交換をする際に一部だけの交換ができず、すべてを取り替えなくてはならないことである。
【０００５】
本発明は、このような問題を解決するもので、マンホールの蓋の施錠部を壊れにくくし、修理・点検を簡単に行えるようにすることを可能とすることを目的とする。
【課題を解決するための手段】
【０００６】
上記の課題を解決するために、蓋で筒状部材の開口部を塞ぐマンホールにおいて、蓋で開口部を塞ぐ筒状部材の内周面に、蓋と筒状部材を固定する固定部材の入る溝があり、蓋は、固定部材を複数有し、蓋は、固定部材を移動させる回転機構を有し、回転機構は、蓋の外周から外側の異なる方向に固定部材を出す動きをさせる。
【０００７】
ここで、回転機構は、カムの回転によって固定部材を移動させるものであり、カムが固定部材を移動させた後から移動させる前に戻すためのバネを有することとしても良い。
【０００８】
また、回転機構は、リンクの動きによって固定部材を移動させるものであることとしても良い。
【発明の効果】
【０００９】
本発明によって、マンホールの蓋の施錠部を壊れにくくし、修理・点検を簡単に行えるようにすることを可能とした。
【図面の簡単な説明】
【００１０】
【図１】マンホールを構成する蓋の平面図である。
【図２】図１の正面図にマンホールを構成する筒状部材の断面図を加え、蓋で筒状部材を塞いだ状態を示す図である。
【図３】図１のA−A断面図である。
【図４】図１のＣ−Ｃ断面図である。
【図５】本発明の実施の形態に係るマンホールを施錠する際に用いるハンドルの斜視図である。
【図６】本発明の実施の形態に係るマンホールの固定部材であるプレートを蓋の円盤の外周より外に飛び出させた状態の平面図である。
【図７】図６の正面図にマンホールを構成する筒状部材の断面図を加え、蓋で筒状部材を塞いだ状態を示す図である。
【図８】本発明の実施の形態に係るマンホールを構成する蓋の底面図である。
【図９】図８の背面図にマンホールを構成する筒状部材の断面図を加え、蓋で筒状部材を塞いだ状態を示す図である。
【図１０】本発明の実施の形態に係るマンホールの固定部材であるプレートを蓋の円盤の外周より外に飛び出させた状態の底面図である。
【図１１】図１０の背面図にマンホールを構成する筒状部材の断面図を加え、蓋で筒状部材を塞いだ状態を示す図である。
【発明を実施するための形態】
【００１１】
本発明の実施の形態に係るマンホールを図面を参照しながら説明する。ここで図１は、マンホールを構成する蓋の平面図である。また図２は、図１の正面図にマンホールを構成する筒状部材の断面図を加え、蓋で筒状部材を塞いだ状態を示す図である。また図３は、図１のA−A断面図である。また図４は、図１のＣ−Ｃ断面図である。また図５は、本発明の実施の形態に係るマンホールを施錠する際に用いるハンドルの斜視図である。また図６は、本発明の実施の形態に係るマンホールの固定部材であるプレートを蓋の円盤の外周より外に飛び出させた状態の平面図である。また図７は、図６の正面図にマンホールを構成する筒状部材の断面図を加え、蓋で筒状部材を塞いだ状態を示す図である。
【００１２】
（各部材の説明）
マンホール１は、蓋２と蓋２が塞ぐ開口部を有する筒状部材２６を有している。蓋２は、円盤３、カム４、ばね５、プレート６（固定部材）、保護板７を構成要素とする。
【００１３】
円盤３は、円状の形をしている。そして、円盤３には中心にカム４を回すための貫通穴８を開けてある。円盤３の裏側（筒状部材２６の開口部を蓋したときに地上から見えない側）から突起する円柱状の突起物９がある。そして、その突起物９はプレート６の回転軸となる。
【００１４】
カム４は、２枚のプレート６を押し広げるためのものである。そして、カム４の形状は楕円状で、双方の長軸の端部が平行となる直線となるように楕円を切り取った形状をしている。そして、カム４の中心に円盤３に貫通穴８と同じ大きさの貫通していない穴１０が開けられている。
【００１５】
プレート６は、円盤３の中心を通る帯状の部分を除外した略半円の形状をしている。このことによって、２枚のプレート６の間にカム４の入る上述の帯状の空間を開けることができる。そして、プレート６をカム４が動き始める前の状態に戻すために引っ張りばねであるコイルばね５を用いる。そのばね５は、円盤３の下面側に出る円柱状の突起１４に係合させる。この係合状態では、ばね５は、若干伸びておりその伸びから戻ろうとする力が突起１４にかかっているため、図２に示した状態でもばね５が下側に落ちない。
【００１６】
保護板７は、円状の形をしている。そして、カム４動作する前の状態だとプレート６によってカムが挟み込まれるので、その間に保護板７からスペーサー部分１５となる突起物がある。そこに、４つの貫通穴１６を開ける。また、プレート６の回転動作を阻むことのないように、スペーサー部分１５には切り欠き部１５Ａが形成されている。
【００１７】
（各部材の組立てについての説明）
円盤３とカム４は、貫通穴８と同じ大きさの貫通していない穴１０が開いている。その２つの穴８，１０の中心が同一になるように重ねる。貫通穴８と貫通していない穴１０の内周面に雌ねじを切り、雄ねじが外周に切られた円筒１７を取り付ける。そして、雄ねじと雌ねじを螺合させて、円盤３とカム４を固定する。なお、円筒１７とカム４は溶接によって固着させ、本来であればねじが緩む円筒１７の逆回転をさせても円筒１７の回転にカム４が追従するようにする。
【００１８】
円盤３とプレート６は、プレート６の片隅に円盤３の突起物９が挿入できる円形の穴１１を開けてある。突起物９をプレート６の穴に挿入する。その際に突起物９の先端が出てくるので、先端を保護板７で押さえつけプレート６が外れないようにする。
【００１９】
円盤３と保護板７は、複数のプレート６が閉じた時にできる隙間に保護板７のスペーサー部分１５が入る。そこで図３に示すように、スペーサー部分１５の貫通穴１６と円盤３の貫通していない穴１８を、先端に雄ねじを切ったボルト１９を貫通していない穴１８の雌ねじと螺合させ固定する。
【００２０】
（各部材の動作説明）
図５に示すハンドル２０を用意する。ハンドル２０は持ち手２１と回転軸２２が一体化されたT字状のハンドルである。回転軸２２の先端２３が四角柱になっている。そして、円筒１７にハンドル２０の先端２３が密に嵌まり合う形の貫通していない穴２４がある。円盤３とカム４をつないでいる円筒１７の穴２４に、ハンドル２０の先端２３を挿入して回す。すると、円筒１７がカム４と共に回りだす。
【００２１】
カム４が回りだすことによって、カム４の長手方向の端面２５がプレート６の側面部分にあたりながら、ばね５の引っ張り力に抗してプレート６をそれぞれ異なる方向に押し広げていく。そして、図６に示すようにカム４の端面２５とプレート６の側面が平行になり当接するようになる。
【００２２】
プレート６が押し広がると、プレート６が円盤３（蓋２）の外周より外側にはみ出し、図７に示すように筒状部材２６の側面の内周の周方向に設けられた溝２７に２つのプレート６の出っ張りが入り蓋２と筒状部材２６が固定され２箇所で施錠される。
【００２３】
固定された蓋２を、外すときは円盤３とカム４をつないでいる円筒１７に、ハンドル２０の先端２３を挿入して固定するときと同じ方向か逆の方向に回す。すると、円筒１７がカム４と一緒に回り始める。
【００２４】
そして、プレート６の側面部分とカム４の端面２５が離れはじめる。そして、ばね引張り力によってプレート６が押し広げられる前の図１，２に示す状態に戻る。
【００２５】
（本発明の実施の形態に係るマンホール１の効果）
マンホール１の蓋２の施錠部を２箇所にすることによって下からの水圧などの力を分散させて壊れにくくし、カム４とプレート６と溝２７だけでマンホール１の施錠しているので複雑ではなくなり修理・点検を簡単に行えるようになった。
【００２６】
（他の形態）
上記本発明の実施の形態に係るマンホール１は本発明の好適な形態であるが、本発明はこの形態に限らず、本発明の要旨を逸脱しない範囲で変形実施することができる。
【００２７】
マンホール１は、固定部材であるプレート６を移動させる回転機構としてカム４を使用したが、カム４に代えて回転機構としてリンクを使用してもよい。
【００２８】
例えば、マンホール１のカム４の回転機構の部分をリンク機構３１に変えることができる。このような本発明の実施の形態に係るマンホール１Aについて図面を参照しながら説明する。ここで、図８は、本発明の実施の形態に係るマンホール１Aを構成する蓋２Aの底面図である。また図９は、図８の背面図にマンホール１Aを構成する筒状部材の断面図を加え、蓋２Aで筒状部材を塞いだ状態を示す図である。また図１０は、本発明の実施の形態に係るマンホールの固定部材であるプレートを蓋２Aの円盤３Aの外周より外に飛び出させた状態の底面図である。また図１１は、図１０の背面図にマンホールを構成する筒状部材の断面図を加え、蓋２Ａで筒状部材を塞いだ状態を示す図である。
【００２９】
リンク機構３１は、回転機構をリンクを通じて上下の動きや左右の動きに変換したり、逆に変換することができる。リンク機構３１は、回転部分３２とその動きを伝える短冊状のリンク３３・リンク３４、それからプレート６に動作を伝えるリンク３５・リンク３６・リンク３７・リンク３８からできている。回転部分３２は楕円状をしていて、中心部分に蓋２Aの中心と同じ大きさの穴３９が開いている。そして、楕円の長手方向にリンク３３,３４をそれぞれ取り付ける２つの穴４０，４１が開いている。回転部分３２とリンク３３、３４は、ピン４２、４３を穴４０，４１とリンク３３、３４の長手方向の一端に設けられた穴４４、４５のそれぞれに挿入することによってピン４２、４３を回転軸として回転自在に結合されている。
【００３０】
リンク３３は、ピン５２を穴４４とは異なる長手方向の他端の穴４６とリンク３５の長手方向の一端に設けられた穴４７およびリンク３６の長手方向の一端に設けられた穴４８に挿入することによってピン５２を回転軸として回転自在に結合されている。リンク３４は、ピン５３を穴４５とは異なる長手方向の他端の穴４９とリンク３７の長手方向の一端に設けられた穴５０およびリンク３８の長手方向の一端に設けられた穴５１に挿入することによってピン５３を回転軸として回転自在に結合されている。
【００３１】
プレート５４は、プレート６とほぼ同じ形状である。プレート５４の一端に設けられた穴５５と、リンク３５の一端とは異なる長手方向の他端の穴５６は、ピン５７を挿入することによってピン５７を回転軸として回転自在に結合されている。そして、プレート５４の他端に設けられた穴５８と、リンク３８の一端とは異なる長手方向の他端の穴５９は、ピン６０を挿入することによってピン６０を回転軸として回転自在に結合されている。
【００３２】
プレート６１は、プレート６とほぼ同じ形状である。プレート６１の一端に設けられた穴６２と、リンク３６の一端とは異なる長手方向の他端の穴６３は、ピン６４を挿入することによってピン６４を回転軸として回転自在に結合されている。そして、プレート６１の他端に設けられた穴６５と、リンク３７の一端とは異なる長手方向の他端の穴６６は、ピン６７を挿入することによってピン６７を回転軸として回転自在に結合されている。
【００３３】
回転部分３２には、上述の円筒１７にハンドル２０の先端２３が密に嵌まり合う形の貫通していない穴２４がある。円盤３Aとリンク機構３１を、円盤３とカム４と同様につないでいる円筒１７に、ハンドル２０の先端２３を挿入して回す。すると、円筒１７が回りだす。すると、図１０のようになりプレート５４とプレート６１の距離が離れ、それぞれ異なる方向に円盤３（蓋２A）の外にはみ出す。また、反対方向に回せば図８の状態に戻る。なお、円盤３Ａには、プレート５４，６１を突き抜ける四角柱形状の突起７０，７０が形成されている。そして、プレート５４，６１にはそれぞれ突起７０，７０が突き抜けるガイド用の長穴７１，７１が形成されている。プレート５４，６１が移動する際には、突起７０，７０の側面と長穴７１，７１の内周面とが摺動することで、図８，図１０における左右方向にプレート５４，６１がガイドされながら移動することとなる。
【００３４】
保護板７は、カム４を用いた実施の形態およびこのリンク機構３１を用いた変形例には必要ない場合がある。なぜならば、腐食されるような環境で必要だが、そうではない場合は必要としないからである。なお、リンク機構３１を用いた変形例には保護板７を用いていないが、用いることとしても良い。
【００３５】
プレート６、プレート５４、６１は蓋２，２Aに二つずつ設けたが、３つ以上プレートを使用してもよい。
【符号の説明】
【００３６】
１，１A  マンホール
２，２A  蓋
４  カム（回転機構の一部）
６、５４，６１  プレート（固定部材）
２６  筒状部材
３１  リンク機構（回転機構）
【要約】      （修正有）【課題】マンホールの蓋の施錠部を壊れにくくし、修理・点検を簡単に行えるようにすることを可能とする噴出し防止マンホールを提供する。【解決手段】蓋２で筒状部材の開口部を塞ぐマンホールにおいて、蓋２で開口部を塞ぐ筒状部材の内周面に、蓋２と筒状部材を固定する固定部材であるプレート６の入る溝があり、蓋２は、プレート６を２つ有し、蓋２は、プレート６を移動させる回転機構の一部であるカム４を有し、カム４は、蓋２を構成する円盤の外周から外側の異なる方向にプレート６を出す動きをさせる。【選択図】図１【図１】
0005422852.tif 000002
【図２】
0005422852.tif 000003
【図３】
0005422852.tif 000004
【図４】
0005422852.tif 000005
【図５】
0005422852.tif 000006
【図６】
0005422852.tif 000007
【図７】
0005422852.tif 000008
【図８】
0005422852.tif 000009
【図９】
0005422852.tif 000010
【図１０】
0005422852.tif 000011
【図１１】
0005422852.tif 000012